(57)【要約】      （修正有）【課題】切断作業を安全且つスムーズに行うことができる鋏を提供する。【解決手段】夫々環状部３ａを有する握り柄３と刃身４とを有する一対の鋏片１、２からなり、該一対の鋏片１、２の刃身４を開閉中心軸５により互いに回動可能に支持し、該開閉中心軸５よりも先端側において刃身４に刃部６を設けると共に、該開閉中心軸５よりも基端側において刃身４に該刃身４に沿った支持部７を設け、該支持部７の基端部に前記握り柄３を取着した鋏である。該鋏において前記支持部７に取着した握り柄３の一方を、支持部７の軸回りに回動可能であると共に、回動方向における所要の回動角度の位置に固定することが可能となるよう構成する。【選択図】図２
0003205596.tif 000002
【実用新案登録請求の範囲】
【請求項１】
夫々環状部（３ａ）を有する握り柄（３）と刃身（４）とを有する一対の鋏片（１、２）からなり、該一対の鋏片（１、２）の刃身（４）を開閉中心軸（５）により互いに回動可能に支持し、該開閉中心軸（５）よりも先端側において刃身（４）に刃部（６）を設けると共に、該開閉中心軸（５）よりも基端側において刃身（４）に該刃身（４）に沿った支持部（７）を設け、該支持部（７）の基端部（７ａ）に前記握り柄（３）を取着した鋏において、前記支持部（７）に取着した握り柄（３）の一方を、支持部（７）の軸回りに回動可能であると共に、回動方向における所要の回動角度の位置に固定することが可能となるよう構成したことを特徴とする鋏。
【請求項２】
前記握り柄（３）の一方を、支持部（７）の軸回りに回動可能であると共に、回動方向における所要の回動角度の位置に固定することが可能となるようにする構成が、支持部（７）に、該支持部（７）の基端部（７ａ）を囲むようにして一端側を固着し、外面に雄ねじ部（８ａ）を形成した筒体（８）と、前記支持部（７）の基端部（７ａ）に摺動自在に外嵌し、基部（９ａ）を前記握り柄（３）に穿設した前記支持部への取着穴（３Ａ）に固着すると共に、該握り柄（３）から突出して前記筒体（８）内に位置する部分（９ｂ）に環状の突起（１０）を備えた摺動筒（９）と、キャップ状をなし、外面に滑り止め用ローレット（１１ａ）を形成すると共に、内面に前記筒体（８）の雄ねじ部（８ａ）と螺合する雌ねじ部（１１ｂ）を形成し、前記筒体（８）における支持部（７）への固着側と反対側に位置する頂部（１１Ａ）の中央に穿設した穴（１１ｃ）に前記支持部（７）の基端部（７ａ）と摺動筒（９）を貫挿し、頂部（１１Ａ）によって前記摺動筒（９）の環状の突起（１０）を前記筒体（８）に向けて押し付けるか又は押し付けを解除するようになした操作ねじ（１１）とからなる構成である請求項１記載の鋏。
【請求項３】
前記摺動筒（９）の環状の突起（１０）を、筒体（８）側が窄まったテーパー（１０ａ）に形成すると共に、前記筒体（８）における該環状の突起（１０）側の内面を、これに合わせたテーパー（８ｂ）に形成してなる請求項２記載の鋏。
【請求項４】
前記握り柄（３）の一方を、支持部（７）の軸回りに回動可能であると共に、回動方向における所要の回動角度の位置に固定することが可能となるようにする構成が、支持部（７）に、該支持部（７）の基端部（７ａ）を囲むようにして一端側を固着すると共に、後記環状の突起（１０）側の内面を、該環状の突起（１０）のテーパー（１０ａ）に合わせたテーパー（８ａ´）に形成した筒体（８´）と、前記支持部（７）の基端部（７ａ）に摺動自在に外嵌し、基部（９ａ）を前記握り柄（３）に穿設した前記支持部への取着穴（３Ａ）に固着すると共に、該握り柄（３）から突出して前記筒体（８´）内に位置する部分（９ｂ）に、前記筒体（８´）側が窄まったテーパー（１０ａ）に形成した環状の突起（１０）を備えた摺動筒（９）と、前記支持部（７）の基端部（７ａ）における前記握り柄（３）の支持部への取着穴（３Ａ）から突出する部分の端部に一体的に突設したねじ杆（７ｂ）に螺合するナット部材（１２）と、該ナット部材（１２）と前記摺動筒（９）との間に縮設した拡圧コイルばね（１３）とからなる構成である請求項１記載の鋏。
【考案の詳細な説明】
【技術分野】
【０００１】  本考案は鋏に関し、更に詳細には支持部に取着した握り柄の一方を、支持部の軸回りに回動可能であると共に、回動方向における所要の角度の位置に固定することが可能となるよう構成したことを特徴とする鋏に係わる。
【背景技術】
【０００２】  鋏は、これを使用する物を切断するとき、切断角度によっては手首が窮屈な角度に折れ曲がって指の開閉をスムーズに行うことができなくなる場合がある。【０００３】  そして、この場合には切断作業を安全且つスムーズに行うことができない。また、何回も繰り返し作業する場合には手首を痛めることにもなる。【０００４】  例えば、図１２は梱包した箱１００の荷造りテープ１０１を切断する例を示すものであるが、切断に用いる鋏は一般的に使用されている西洋鋏であり、夫々環状部３ａを有する握り柄３と刃身４とを有する一対の鋏片１、２からなり、該一対の鋏片１、２の刃身４を開閉中心軸５により互いに回動可能に支持し、該開閉中心軸５よりも先端側において刃身４に刃部６を設けると共に、該開閉中心軸５よりも基端側において刃身４に該刃身４に沿った支持部７を設け、該支持部７の基端部に前記握り柄３を取着してなるものである。【０００５】  そして、該鋏を用いて荷造りテープ１０１を切断する場合において、図示しない、箱１００の上面側において水平になっている部分を切断する際には、刃部６、６を上下方向に開閉させるものであるから手首や指には負担がかからず、スムーズに切断することができる。【０００６】  しかし、都合により箱１００の側面側において垂直になった部分を切断する際には、手の平が完全に上を向くようにして刃部６、６を水平方向に開閉させなければならず、手首を窮屈な角度に折り曲げなければならない。そして、この場合には指に力が入りにくく、スムーズに刃部６、６の開閉を行うことができない。また、テープ１０１は輸送時等に簡単に切れないように肉厚の樹脂製のものが多く用いられており、この場合には相当に力を入れなければ切断することができない。したがって、これを切断しようとするときには力を込めた指が握り柄３の環状部３ａの角の部分に食い込み、痛みを覚えることもある。【０００７】  また、例えば、身だしなみのために鼻毛を切る場合には、図１３に示す如く小型の鼻毛切り用の鋏を用いて行うが、該鼻毛切り用の鋏も小型である点を除いて前記の鋏と同様である。【０００８】  そして、斯かる鼻毛切り用の鋏を用いて鼻毛を切るときには、刃部６、６を顔と平行になるように開閉させなければならないから、握り柄３の環状部３ａに入れて掛ける親指と人差指は略平行にしなければならない。そして、このため手首を窮屈な角度に折り曲げなければならない。そして、この場合には指をスムーズに動かすことができず、且つ細かな動きがしにくいから刃部６によって鼻の穴を傷つける虞があった。
【考案の概要】
【考案が解決しようとする課題】
【０００９】  本考案は上記の点に鑑みなされたものであって、支持部に取着した握り柄の一方を、支持部の軸回りに回動可能であると共に、回動方向における所要の角度の位置に固定することが可能となるよう構成し、もって切断角度に応じて一方の握り柄の角度を変えることにより手首が窮屈な角度にならないようにして、常に指の開閉をスムーズに行うことができるようになした鋏を提供しようとするものである。
【課題を解決するための手段】
【００１０】  而して、本考案の要旨とするところは、夫々環状部３ａを有する握り柄３と刃身４とを有する一対の鋏片１、２からなり、該一対の鋏片１、２の刃身４を開閉中心軸５により互いに回動可能に支持し、該開閉中心軸５よりも先端側において刃身４に刃部６を設けると共に、該開閉中心軸５よりも基端側において刃身４に該刃身４に沿った支持部７を設け、該支持部７の基端部７ａに前記握り柄３を取着した鋏において、前記支持部７に取着した握り柄３の一方を、支持部７の軸回りに回動可能であると共に、回動方向における所要の回動角度の位置に固定することが可能となるよう構成したことを特徴とする鋏にある。【００１１】  また、上記構成において、前記握り柄３の一方を、支持部７の軸回りに回動可能であると共に、回動方向における所要の回動角度の位置に固定することが可能となるようにする構成としては、支持部７に、該支持部７の基端部７ａを囲むようにして一端側を固着し、外面に雄ねじ部８ａを形成した筒体８と、前記支持部７の基端部７ａに摺動自在に外嵌し、基部９ａを前記握り柄３に穿設した前記支持部への取着穴３に固着すると共に、該握り柄３から突出して前記筒体８内に位置する部分９ｂに環状の突起１０を備えた摺動筒９と、キャップ状をなし、外面に滑り止め用ローレット１１ａを形成すると共に、内面に前記筒体８の雄ねじ部８ａと螺合する雌ねじ部１１ｂを形成し、前記筒体８における支持部７への固着側と反対側に位置する頂部１１Ａの中央に穿設した穴１１ｃに前記支持部７の基端部７ａと摺動筒９を貫挿し、頂部１１Ａによって前記摺動筒９の環状の突起１０を前記筒体８に向けて押し付けるか又は押し付けを解除するようになした操作ねじ１１とからなる構成であることが望ましい。【００１２】  また、上記構成において、前記摺動筒９の環状の突起１０を、筒体８側が窄まったテーパー１０ａに形成すると共に、前記筒体８における該環状の突起１０側の内面を、これに合わせたテーパー８ｂに形成することが望ましい。【００１３】  また、前記握り柄３の一方を、支持部７の軸回りに回動可能であると共に、回動方向における所要の回動角度の位置に固定することが可能となるようにする構成としては、支持部７に、該支持部７の基端部７ａを囲むようにして一端側を固着すると共に、後記環状の突起１０側の内面を、該環状の突起１０のテーパー１０ａに合わせたテーパー８ａ´に形成した筒体８´と、前記支持部７の基端部７ａに摺動自在に外嵌し、基部９ａを前記握り柄３に穿設した前記支持部への取着穴３Ａに固着すると共に、該握り柄３から突出して前記筒体８´内に位置する部分９ｂに、前記筒体８´側が窄まったテーパー１０ａに形成した環状の突起１０を備えた摺動筒９と、前記支持部７の基端部７ａにおける前記握り柄３の支持部への取着穴３Ａから突出する部分の端部に一体的に突設したねじ杆７ｂに螺合するナット部材１２と、該ナット部材１２と前記摺動筒９との間に縮設した拡圧コイルばね１３とからなる構成としてもよい。
【考案の効果】
【００１４】  本考案は上記の如き構成であり、支持部７に取着した握り柄３の一方を、支持部７の軸回りに回動可能であると共に、回動方向における所要の角度の位置に固定することが可能となるよう構成したものであるから、切断角度に応じて一方の握り柄３の角度を変えることにより手首が窮屈な角度にならないようにして、常に指の開閉をスムーズに行うことができるようにすることができるものである。【００１５】  また、握り柄３の一方を、支持部７の軸回りに回動可能であると共に、回動方向における所要の回動角度の位置に固定することが可能となるようにする構成が、支持部７に、該支持部７の基端部７ａを囲むようにして一端側を固着し、外面に雄ねじ部８ａを形成した筒体８と、前記支持部７の基端部７ａに摺動自在に外嵌し、基部９ａを前記握り柄３に穿設した前記支持部への取着穴３に固着すると共に、該握り柄３から突出して前記筒体８内に位置する部分９ｂに環状の突起１０を備えた摺動筒９と、キャップ状をなし、外面に滑り止め用ローレット１１ａを形成すると共に、内面に前記筒体８の雄ねじ部８ａと螺合する雌ねじ部１１ｂを形成し、前記筒体８における支持部７への固着側と反対側に位置する頂部１１Ａの中央に穿設した穴１１ｃに前記支持部７の基端部７ａと摺動筒９を貫挿し、頂部１１Ａによって前記摺動筒９の環状の突起１０を前記筒体８に向けて押し付けるか又は押し付けを解除するようになした操作ねじ１１とからなる構成であって、前記摺動筒９の環状の突起１０を、筒体８側が窄まったテーパー１０ａに形成すると共に、前記筒体８における該環状の突起１０側の内面を、これに合わせたテーパー８ｂに形成してなる場合には、一方の握り柄３を回動方向における所要の角度に固定するとき、前記筒体８のテーパー８ｂと摺動筒９の環状の突起１０のテーパー１０ａとの接触面積を大きくすることができるから、摩擦抵抗の増大によって回動抑止力を高めることができるものである。【００１６】  また、  握り柄３の一方を、支持部７の軸回りに回動可能であると共に、回動方向における所要の回動角度の位置に固定することが可能となるようにする構成として、支持部７に、該支持部７の基端部７ａを囲むようにして一端側を固着すると共に、後記環状の突起１０側の内面を、該環状の突起１０のテーパー１０ａに合わせたテーパー８ａ´に形成した筒体８´と、前記支持部７の基端部７ａに摺動自在に外嵌し、基部９ａを前記握り柄３に穿設した前記支持部への取着穴３Ａに固着すると共に、該握り柄３から突出して前記筒体８´内に位置する部分９ｂに、前記筒体８´側が窄まったテーパー１０ａに形成した環状の突起１０を備えた摺動筒９と、前記支持部７の基端部７ａにおける前記握り柄３の支持部への取着穴３Ａから突出する部分の端部に一体的に突設したねじ杆７ｂに螺合するナット部材１２と、該ナット部材１２と前記摺動筒９との間に縮設した拡圧コイルばね１３とからなる構成とした場合には、握り柄３の一方を、支持部７の軸回りに所要の角度に回動させるときにおいて、固定状態と固定解除状態との相互の切り換えを迅速に行うことができるものである。
【図面の簡単な説明】
【００１７】
【図１】本考案の第１実施形態に係る鋏の正面図である。
【図２】同一方の握り柄を回動方向における所要の角度に回動させた状態の斜視図である。
【図３】同要部の拡大断面図であり、一方の握り柄を固定した状態を示すものである。
【図４】図３中Ａ−Ａ線断面図である。
【図５】同要部の拡大断面図であり、一方の握り柄を回動可能とした状態を示すものである。
【図６】同作用説明図である。
【図７】本考案の第２実施形態に係る鋏の要部の拡大断面図である。
【図８】本考案の第３実施形態に係る鋏の正面図である。
【図９】同作用説明図である。
【図１０】本考案の第４実施形態に係る鋏の要部の拡大断面図である。
【図１１】図１０中Ｂ−Ｂ線断面図である。
【図１２】従来における鋏による荷造りテープの切断方法の説明図である。
【図１３】従来における鼻毛切り用の鋏による鼻毛の切断方法の説明図である。
【考案を実施するための形態】
【００１８】  以下、本考案を実施するための形態について、図面を参照して説明する。
【００１９】  先ず、図１乃至図６に示す本考案の第１実施形態について説明する。
【００２０】  本実施形態は、前記図１２に示した鋏と同様の一般的な汎用の鋏の例であり、夫々環状部３ａを有する握り柄３と刃身４とを有する一対の鋏片１、２からなり、該一対の鋏片１、２の刃身４を開閉中心軸５により互いに回動可能に支持し、該開閉中心軸５よりも先端側において刃身４に刃部６を設けると共に、該開閉中心軸５よりも基端側において刃身４に該刃身４に沿った支持部７を設け、該支持部７の基端部７ａに前記握り柄３を取着してなるものである。
【００２１】  而して、本実施形態は、斯かる鋏において、前記支持部７に取着した握り柄３の一方を、支持部７の軸回りに回動可能であると共に、回動方向における所要の回動角度の位置に固定することが可能となるよう構成したことを特徴とするものである。
【００２２】  また、本実施形態においては、握り柄３の一方を、支持部７の軸回りに回動可能であると共に、回動方向における所要の回動角度の位置に固定することが可能となるようにする構成として、支持部７に、該支持部７の基端部７ａを囲むようにして一端側を固着し、外面に雄ねじ部８ａを形成した筒体８と、前記支持部７の基端部７ａに摺動自在に外嵌し、基部９ａを前記握り柄３に穿設した前記支持部への取着穴３Ａに固着すると共に、該握り柄３から突出して前記筒体８内に位置する部分９ｂに環状の突起１０を備えた摺動筒９と、キャップ状をなし、外面に滑り止め用ローレット１１ａを形成すると共に、内面に前記筒体８の雄ねじ部８ａと螺合する雌ねじ部１１ｂを形成し、前記筒体８における支持部７への固着側と反対側に位置する頂部１１Ａの中央に穿設した穴１１ｃに前記支持部７の基端部７ａと摺動筒９を貫挿し、頂部１１Ａによって前記摺動筒９の環状の突起１０を前記筒体８に向けて押し付けるか又は押し付けを解除するようになした操作ねじ１１とからなる構成とし、更に前記摺動筒９の環状の突起１０を、筒体８側が窄まったテーパー１０ａに形成すると共に、前記筒体８における該環状の突起１０側の内面を、これに合わせたテーパー８ｂに形成している。
【００２３】  次に、本実施形態の作用について説明する。
本実施形態は、図２に示す如く、握り柄３の一方を、支持部７の軸回りに所要の角度に回動させることができるが、それは、図３に示す固定状態において操作ねじ１１を回し、その頂部１１Ａを後退させて、図５に示す如く摺動筒９の環状の突起１０への押し付けを解除することによって行う。この状態においては該握り柄３は支持部７の軸回りにどの方向にも自由に回動させることができるが、所要の角度の位置に固定することが望ましい。それは、フリーに回動し得る状態では環状部３ａへの指掛けが不安定になり、却って作業に支障をきたすことになるからである。また、鋏を使用しようとするときには、両方の握り柄３が横に並んでいた方が指を環状部３ａに入れ易く、したがって、鋏を使い終わったときにはこの状態に戻して固定しておくことが望ましい。また、握り柄３を所要の角度に回し、その角度の位置に固定するときには、反対側の手で操作ねじ１１を回すことによって容易に行うことができる。そしてまた、この所要の角度での固定は、操作ねじ１１を前記と逆方向に回して前進させ、その頂部１１Ａで摺動筒９の環状の突起１０を押し出し、該環状の突起１０を筒体８のテーパー８ｂにした内面に強く押し付けることによって行うものである。これにより図３に示す状態となり、回動が不能になって固定状態となるものである。
【００２４】  上記のようにして握り柄３の一方を支持部７の軸回りに所要の角度に回動させ、その角度位置に固定した場合には、前記図１２に示す荷造りテープの切断作業を行うときにおいて、図６に示す如く、従来における手の平が完全に上を向いた状態から握手をする状態に近い状態になって、手首を窮屈な角度に折り曲げる必要がなくなるものである。したがって、指に力が入り易く、スムーズに刃部６、６の開閉を行うことができるものである。また、力を込めた指が握り柄３の環状部３ａの角の部分に食い込むことがなく、これによる痛みを解消することもできるものである。
【００２５】  次に、図７に示す本考案の第２実施形態について説明する。
本実施形態と前記第１実施形態とは、摺動筒９の環状の突起１０の形状において相違するものである。即ち、前記第１実施形態においては、該環状の突起１０を筒体８側が窄まったテーパー１０ａに形成しており、そしてこれに対応させて筒体８の内面にテーパー８ｂを形成しているが、これに対して本実施形態においては、該環状の突起１０をテーパーに形成することなく、操作ねじ１１の頂部１１Ａと筒体８の端面との間で挟み付けるようになしているものである。尚、その他の構成並びに作用は前記第１実施形態と同様であるから、同一の部材には同一の符号を付して詳細な説明は省略する。
【００２６】  次に、図８及び図９に示す本考案の第３実施形態について説明する。
本実施形態と前記第１実施形態とは、鋏の種類の点において相違するものである。即ち、前記第１実施形態における鋏が一般的な汎用の鋏であるのに対して、本実施形態における鋏は鼻毛切り用の鋏である。なお、その他の構成並びに作用は前記第１実施形態と同様であるから、同一の部材には同一の符号を付して詳細な説明は省略する。
【００２７】  而して、本実施形態に係る鋏を用いて鼻毛を切る場合には、握り柄３の一方を支持部７の軸回りに所要の角度に回動させ、その角度位置に固定して作業を行うことができるから、従来における作業を示す図１１の状態におけるよりも、図９に示す如く手首の曲がりを少なくすることができるものである。したがって、指をスムーズに動かすことができると共に、細かな動きもし易くなるものである。
【００２８】  次に、図１０及び図１１に示す本考案の第４実施形態について説明する。
本実施形態と前記第１実施形態とは、握り柄３の一方を、支持部７の軸回りに回動可能であると共に、回動方向における所要の角度の位置に固定することが可能となるようにする構成において相違するものである。即ち、該構成として、本実施形態においては、握り柄３の一方を、支持部７の軸回りに回動可能であると共に、回動方向における所要の回動角度の位置に固定することが可能となるようにする構成として、支持部７に、該支持部７の基端部７ａを囲むようにして一端側を固着すると共に、後記環状の突起１０側の内面を、該環状の突起１０のテーパー１０ａに合わせたテーパー８ａ´に形成した筒体８´と、前記支持部７の基端部７ａに摺動自在に外嵌し、基部９ａを前記握り柄３に穿設した前記支持部への取着穴３Ａに固着すると共に、該握り柄３から突出して前記筒体８´内に位置する部分９ｂに、前記筒体８´側が窄まったテーパー１０ａに形成した環状の突起１０を備えた摺動筒９と、前記支持部７の基端部７ａにおける前記握り柄３の支持部への取着穴３Ａから突出する部分の端部に一体的に突設したねじ杆７ｂに螺合するナット部材１２と、該ナット部材１２と前記摺動筒９との間に縮設した拡圧コイルばね１３とからなる構成としているものである。尚、その他の構成については前記第１実施形態と同様であるから、同一の部材については同一の符号を付して詳細な説明は省略する。
【００２９】  而して、本実施形態による場合には、握り柄３の一方を、支持部７の軸回りに所要の角度に回動させるときにおいて、固定状態と固定解除状態との相互の切り換えを迅速に行うことができるものである。即ち、図１０は固定状態を示しており、拡圧コイルばね１３の作用によって摺動筒９は筒体８´側に向けて移動性向が付与され、その環状の突起１０が筒体８´に押し付けられている。このとき環状の突起１０のテーパー１０ａと筒体８´のテーパー８ａ´とが強く接触して固定状態となっている。そして、握り柄３の一方を支持部７の軸回りに所要の角度に回動させるときには、該固定状態を一時的に解除するが、それは回動させようとする握り柄３を前記拡圧コイルばね１３の作用力に抗して引っ張ればよく、これにより環状の突起１０のテーパー１０ａと筒体８´のテーパー８ａ´とが離れて、摺動筒９がフリーに回動し得る状態となるものである。そして、握り柄３を所要の角度に回し、その角度において固定するときには、握り柄３を引く力を解除すればよく、これにより拡圧コイルばね１３の作用力により再び図１０に示す固定状態に戻るものである。
【符号の説明】
【００３０】１、２  一対の鋏片
３  握り柄
３ａ  環状部
４  刃身
５  開閉中心軸
６  刃部
７  支持部
７ａ  支持部の基端部
７ｂ  ねじ杆
８  筒体
８´  筒体
８ａ  雄ねじ部
８ａ´  テーパー
８ｂ  テーパー
９  摺動筒
１０  環状の突起
１０ａ  テーパー
１１  操作ねじ
１１Ａ  操作ねじの頂部
１１ａ  滑り止め用ローレット
１１ｂ  雌ねじ部
１１ｃ  操作ねじの頂部の穴
１２  ナット部材
１３  拡圧コイルばね
【図１】
0003205596.tif 000003
【図２】
0003205596.tif 000004
【図３】
0003205596.tif 000005
【図４】
0003205596.tif 000006
【図５】
0003205596.tif 000007
【図６】
0003205596.tif 000008
【図７】
0003205596.tif 000009
【図８】
0003205596.tif 000010
【図９】
0003205596.tif 000011
【図１０】
0003205596.tif 000012
【図１１】
0003205596.tif 000013
【図１２】
0003205596.tif 000014
【図１３】
0003205596.tif 000015